(57)【特許請求の範囲】
【請求項１】
屋根傾斜方向に沿って延びる屋根芯材と、壁部または梁とを結合させ、かつ、前記壁部または前記梁に隣接する隣接壁部または隣接梁と前記壁部または前記梁とを接合させる金属製の結合桁であって、
前記壁部または前記梁に載置される載置面を有する載置部と、
前記壁部または前記梁に取り付けられる取付部と、
前記屋根芯材が載置される傾斜面を有する傾斜部と、
前記傾斜面と取付部との間に位置する側面部と、
前記屋根芯材と前記側面部とを緊結する屋根部の吹き上げ防止用の吹き上げ防止部材と、
前記隣接壁部または前記隣接梁と接合される接合部とを有し、
前記傾斜部は前記傾斜面に貼布され前記屋根部の屋根芯材との間の軋みや滑りを防止する滑り防止シートを有し、
前記吹き上げ防止部材は、前記屋根芯材に前記壁部または梁の側面延長線よりも上端側を屋根傾斜方向斜め上方に向けて取り付けられる取付部と、この取付部に対して軸回りで回転可能に取付けられ、前記側面部に形成された被係合部に係合される係合部とを有し、
前記接合部は、前記側面部にネジにて一体的に取付けられることを特徴とする結合桁。
【発明の詳細な説明】
【０００１】
【発明の属する技術分野】
本発明は、屋根芯材の下方に位置する壁部または梁と屋根芯材との間に配置される結合桁、特に、隣接する屋根芯材、壁部、または梁との接合機能を有する結合桁に関する。
【０００２】
【関連技術および発明が解決しようとする課題】
従来、傾斜をもつ屋根部を支え、その傾斜方向と交差する壁部または梁の上部には木製の結合桁が用いられ、このような場合には、屋根部と壁部または梁とを結合させるために、別部材である緊結金物を用いる必要があった。また、梁の上部に設置される結合桁の場合には、この緊結金物は、結合桁を両側から押さえ、その上部の屋根部が上部から圧迫する状態になるように作用して、結合桁を梁上に固定する役割のためにも必要であった。
【０００３】
また、従来の結合桁は、木製であるため、乾燥等による形状の経時変化が生じることがあり、それを用いた構造全体に影響を及ぼすことがあった。
【０００４】
さらに、従来の結合桁は、木製であるため、様々な付属部材を十分な強度をもって結合桁に取り付けること、例えば隣接する壁部や梁との接合のための部分を設けることや、２つの壁部または梁に載置固定されてそれらの接合機能を持たせるための部分を設けることは容易には行えなかった。
【０００５】
本発明は、上記のような問題点を解決するためになされものであって、その目的とするところは、特別な部材を必要とすることなく、壁部または梁部に固定することができる結合桁を提供することにある。
【０００６】
また、本発明の他の目的は、乾燥等による形状の経時変化によって、それを用いた構造全体に影響を及ぼすこともない結合桁を提供することにある。
【０００７】
そして、本発明のもう一つの目的は、様々な付属部材を十分な強度をもって容易に取り付けること、例えば隣接する壁部や梁との接合のための部分を設けることや、２つの壁部または梁に載置固定されてそれらの接合機能を持たせるための部分を設けることができる結合桁を提供することにある。
【０００８】
【０００９】
【課題を解決するための手段】
本発明に係る結合桁は、
屋根傾斜方向に沿って延びる屋根芯材と、壁部または梁とを結合させ、かつ、前記壁部または前記梁に隣接する隣接壁部または隣接梁と前記壁部または前記梁とを接合させる金属製の結合桁であって、
前記壁部または前記梁に載置される載置面を有する載置部と、
前記壁部または前記梁に取り付けられる取付部と、
前記屋根芯材が載置される傾斜面を有する傾斜部と、
前記傾斜面と取付部との間に位置する側面部と、
前記屋根芯材と前記側面部とを緊結する屋根部の吹き上げ防止用の吹き上げ防止部材と、
前記隣接壁部または前記隣接梁と接合される接合部とを有し、
前記傾斜部は前記傾斜面に貼布され前記屋根部の屋根芯材との間の軋みや滑りを防止する滑り防止シートを有し、
前記吹き上げ防止部材は、前記屋根芯材に前記壁部または梁の側面延長線よりも上端側を屋根傾斜方向斜め上方に向けて取り付けられる取付部と、この取付部に対して軸回りで回転可能に取付けられ、前記側面部に形成された被係合部に係合される係合部とを有し、
前記接合部は、前記側面部にネジにて一体的に取付けられることを特徴とする。
【００１０】
【００１１】
【００１２】
ここで、前記屋根芯材は、壁部または梁と交差し、壁部または梁によって支持される屋根用芯材を意味し、例えば、パネル工法にあっては屋根パネルの一構成要素である縦方向の芯材であり、在来工法にあっては垂木である。また、前記梁は、屋根用芯材を受ける鋼製または木製の桁を意味し、パネル工法にあっては屋根梁であり、在来工法にあっては母屋桁、軒桁、および棟木である。
【００１３】
本発明によれば、載置部を壁部または梁に載置し、取付部を壁部または梁に取り付けることによって、壁部または梁に固定でき、そして、傾斜部に屋根芯材を載置することができ、さらに、接合部に隣接壁部または隣接梁を接合できる結合桁を提供することができる。したがって、この結合桁の壁部または梁への固定は、特別な部材を必要とすることなく、単に取り付け部を釘等によって壁部または梁に固定することによって行うことができる。また、この結合桁は金属製であるため、木製の結合桁の場合のように、乾燥等による形状の経時変化がなく、それを用いた構造全体に形状変化による影響を及ぼすこともない。さらに、本発明の結合桁は金属製であるため、様々な付属部材を十分な強度をもって結合桁に容易に取り付けることができる。そして、本発明の結合桁は、壁部または梁と屋根芯材とを結合するだけでなく、それらと隣接壁部または隣接梁とを接合することができる。
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
また、傾斜部には滑り防止シートが貼付され、屋根芯材との間の軋みや滑りが防止される。したがって、屋根芯材の取付の際にそれらが滑り落ちたりする可能性を減少させることができるとともに、屋根芯材を含んで構成される屋根部の取付後の軋み音等を減少させることができる。
【００３２】
【００３３】
【００３４】
【００３５】
【００３６】
【発明の実施の形態】
以下、本発明の好適な実施例について、図面を参照しながら詳細に説明する。
【００３７】
〔第１実施例〕
図１は、本発明の第１実施例の結合桁１０を用いた接合構造を示す断面図であり、図２（Ａ）および図２（Ｂ）は、本実施例の結合桁１０の斜視図および分解斜視図である。これらの図に示すように、本実施例の結合桁１０は、第１屋根傾斜方向に伸びる第１屋根芯材８２と、第１屋根芯材８２の下方に位置する第１壁部７０との間に配置されて、それらを結合させている。この結合桁は鋼などの十分な強度を持つ金属の板材を、切り出し、折り曲げ、およびネジあるいは溶接等による接合などによって加工して形成されている。
【００３８】
本実施例の結合桁１０は、図２（Ａ）に示すように、第１載置部１２、第１取付部１６、第１傾斜部１８、および、接合部２２を含んで構成される。
【００３９】
図４は、本実施例の結合桁１０が一般的な家屋で使用される箇所を示す平面図である。この図において、ａ矢印で示した白抜きの部分に図２（Ａ）および図２（Ｂ）の結合桁が使用される。
【００４０】
本実施例の結合桁１０は、図１および図３に示すように、第１載置部１２の載置面１４を第１壁部７０の上部に設置し、第１取付部１６を第１壁部７０に釘２６等によって固定することによって、第１壁部７０上に固定される。
【００４１】
また、第１壁部７０上に固定された結合桁１０の第１傾斜部１８の傾斜面２０上には、第１屋根芯材８２が載置される。なお、この第１傾斜部１８の傾斜面２０上に、予め第１屋根芯材８２と第１傾斜部１８の傾斜面２０との間の軋みや滑りを防止するシートである滑り防止シート（図示せず）を貼付しておいてもよい。これによって、第１屋根芯材８２の取付の際に第１屋根芯材８２や第１屋根芯材８２を含んで構成される第１屋根部８０が滑り落ちたりする可能性を減少させることができるとともに、第１屋根芯材８２の取付後の軋み音を減少させることができる。
【００４２】
さらに、この結合桁１０は、接合部２２を持ち、第１壁部７０に隣接する隣接梁９２をこの接合部２２にボルト２４等によって接合することによって、図１に示したように、隣接梁９２を、この接合部２２を有する結合桁１０を介して、第１壁部７０に接合することができる。この接合部２２は、図２（Ｂ）に分解斜視図として示すように、結合桁１０本体の側面部２８にネジ等によって一体的に固定されている。
【００４３】
また、本実施例の結合桁は、図３に示したように、ストッパ部３４、固定部３６、吊り金具通過孔３０、吹き上げ防止部材６２などを含んで構成してもよい。
【００４４】
ストッパ部３４は、図１および図３に示すように、結合桁１０の側面部２８に釘等や溶接等によって一体的に固定され、その一部が傾斜部１８の傾斜面２０の上方に突出している。第１屋根芯材８２を結合桁１０上に設置すると、この突出した部分が、図１および図５に示した、第１屋根芯材８２を含んで構成される第１屋根部８０例えば屋根パネルの係合部材８８の屋根傾斜方向の下方の側面を支持し、第１屋根部８０のその傾斜方向の位置を規定する。これによって、第１屋根部８０を屋根傾斜方向の所定位置で結合桁１０上に容易に載置することができるとともに、第１屋根部８０は屋根傾斜方向への移動に対して固定される。
【００４５】
なお、ストッパ部３４をさらに長く形成し、上述のように第１屋根部８０の下面側に設けた係合部材８８を支持するのではなく、第１屋根部８０の屋根傾斜方向と直交する横芯材８４の傾斜方向下方の側面を支持するようにしてもよい。この場合は、係合部材を特別に設ける必要はない。これによって、上述の場合と同様に、第１屋根部８０の屋根傾斜方向の位置を規定し、その方向への移動が起きないように固定することができる。
【００４６】
固定部３６は、図３に示すように、その一端は結合桁１０の側面部２８にビス等で一体的に固定され、その他端は例えば図５に示す第１屋根傾斜方向に伸びる第１屋根芯材８２の下面に釘等で固定される。固定部３６は、第１屋根芯材８２を含んで構成される第１屋根部８０がいずれの方向にも移動できないように固定する。すなわち、後述する吹き上げ防止部材６２による第１屋根芯材８２の結合桁１０への緊結だけでは防げない第１屋根部８０の傾斜方向と交差する方向への第１屋根部８０の移動も防止することができる。
【００４７】
吊り金具通過孔３０は、図３に示すように、壁部７０の上部の芯材７４すなわち壁部７０の一部を形成する壁パネル７６の芯材７４に設けられた吊り金具用の貫通孔７２の位置に対応してその上方に位置する結合桁１０に設けられている。これによって、結合桁１０が予め取り付けられた壁パネル７６であっても、貫通孔７２を通した後に広がって壁パネル７６の芯材７４に係合するタイプの吊り金具を、結合桁１０のこの吊り金具通過孔３０および壁パネル７６の芯材７４に設けられた貫通孔７２を通した後、壁パネル７６の芯材７４に係合させて、クレーン等で吊り降ろして設置することができる。
【００４８】
吹き上げ防止部材６２は、図１および図３に示すように、その係合部６６の折り曲げられた一端が、結合桁１０の側面部２８に設けられた穴部である被係合部３２に挿入され回転されて結合桁１０に係合される。そして、吹き上げ防止部材６２は、その係合部６６と回転自在に結合する第２取付部６４が、釘（図示せず）等によって第１屋根部８０の第１屋根芯材８２の側面に取り付けられる。これによって、第１屋根部８０は、吹き上げ防止部材６２によっても固定されるため、第１屋根部８０が吹き上げられた場合等に、固定部３６による第１屋根部８０と結合桁１０との間の固定のみでは不足する第１屋根部８０と結合桁１０との結合強度を補い、第１屋根部８０の吹き上げ等を防止することができる。なお、吹き上げ防止部材６２は、第１屋根部８０の吹き上げを防止するために十分な強度をもって第１屋根部８０の第１屋根芯材８２および結合桁１０に固定および係合されている。
【００４９】
図６、図７（Ａ）、図７（Ｂ）、図８（Ａ）、および図８（Ｂ）は、第１実施例の変形例を示す斜視図である。なお、図７および図８の（Ａ）および（Ｂ）は、同一の結合桁を異なる角度から示した斜視図である。上記においては、本実施例の結合桁１０の接合部２２は、図１に示したように、梁すなわち隣接梁９２と接合するために用いられていた。しかし、これらの図に示す例では、接合部２２は、隣接壁部９６である屋切りパネルを接合するために用いられるように形成されている。その他の点については、上記と同様である。なお、図６、図７（Ａ）および（Ｂ）、図８（Ａ）および（Ｂ）に示した結合桁は、図４に平面図として示した家屋においては、それぞれ矢印ｂ、矢印ｃ、および矢印ｄで示した白抜きの箇所において使用される。
【００５０】
〔第２実施例〕
図９（Ａ）、図９（Ｂ）、および図１０は、第２実施例の結合桁４０を示す斜視図である。なお、図９（Ａ）、図９（Ｂ）は、同一の結合桁４０を異なる角度から見た斜視図である。これらの図に示すように、本実施例の結合桁４０は、第１および第２載置部１２，４６と、第１および第２取付部１６，５２と、第１および第２傾斜部を含んで構成される。なお、図９（Ａ）および（Ｂ）に示した結合桁は、図４に平面図として示した家屋においては、矢印ｅで示した白抜きの箇所において使用される。
【００５１】
本実施例の結合桁４０は、第１実施例と同様に、第１壁部７０または第１梁に載置固定され、その第１傾斜部１８の傾斜面２０上にに第１屋根芯材８２が載置される。これに加えて、本実施例の結合桁４０は、図示しない第２壁部または第２梁にも載置固定され、その第２傾斜部５８の傾斜面６０上に第２屋根芯材が載置される点が第１実施例の結合桁１０とは異なる。それ以外の点については第１実施例の結合桁１０と同様である。各図においては、第１実施例の結合桁１０と対応する各部については、同一の符号を付した。
【００５２】
第２実施例の結合桁４０は、第１実施例の場合と同様に、第１壁部７０（図示せず）に第１載置部１２の載置面１４が載置され、第１取付部１６が第１壁部７０に取り付けられる。また、この結合桁４０は、第２壁部（図示せず）に第２載置部４６の載置面４８が載置され、第２取付部５２が第２壁部に取り付けられる。このようにして、本実施例の結合桁４０は、第１および第２壁部上に固定される。
【００５３】
さらに、この結合桁４０は、第１実施例と同様に、第１壁部７０の上方に位置する第１屋根芯材（図示せず）が載置される傾斜面２０を有する第１傾斜部１８を有する。また、この結合桁４０は、第２壁部の上方に位置する第２屋根芯材が載置される傾斜面６０を有する第２傾斜部５８を含んで構成される。本実施例の結合桁４０は、第１および第２壁部上に固定された後、その第１および第２傾斜部上１８，５８にに第１屋根芯材および第２屋根芯材が載置される。
【００５４】
このように、本実施例の結合桁４０は、第１屋根傾斜方向に沿って延びる第１屋根芯材８２と第１壁部７０との結合、および、第２屋根傾斜方向に沿って延びる第２屋根芯材と第２壁部との結合を行うことができる。
【００５５】
また、本実施例の結合桁４０においても、第１実施例の場合と同様に、ストッパ部３４、固定部３６、吊り金具通過孔３０、吹き上げ防止部材６２などを含んで構成してもよい。この場合、ストッパ部３４、固定部３６、吊り金具通過孔３０、吹き上げ防止部材６２などは、第１壁部７０、第１屋根芯材８２、および第１屋根部８０に対応するものだけでなく、第２壁部、第２屋根芯材、および第２屋根部に対応するものも設けてもよい。
【００５６】
また、本実施例の結合桁においても、第１実施例の場合と同様に、隣接する隣接壁部９６または隣接梁９２と接合される接合部２２を含んで構成してもよい。
【００５７】
図１１（Ａ）、図１１（Ｂ）、および図１２は、このような結合桁４０の例を示す斜視図である。図１１（Ａ）、図１１（Ｂ）の場合は、隣接壁部９６である屋切りパネルを１枚接合するための１つの接合部２２が設けられている。また、図１２の場合は、隣接壁部９６である屋切りパネルを２枚接合するための２つの接合部２２，２２が設けられている。なお、図１１（Ａ）に示した結合桁は、図４に平面図として示した家屋においては、矢印ｇで示した白抜きの箇所において使用される。
【００５８】
なお、図１１（Ａ）、図１１（Ｂ）、および図１２では隣接する隣接壁部９６を接合するための接合部２２を示したが、本実施例の結合桁４０においても、第１実施例で示したような、隣接梁９２を接合するための接合部を含んで構成してもよい。
【００５９】
以上、本発明の実施例を説明したが、本発明は前述した各実施例に限定されるものではなく、本発明の要旨の範囲内または特許請求の範囲の均等範囲内で各種の変形実施が可能である。
【００６０】
例えば、上記各実施例においては、壁部７０上に載置され、取り付けられる結合桁１０，４０を示したが、本発明の結合桁１０，４０は、梁に載置され、取り付けられてもよい。
【００６１】
また、上記各実施例では、結合桁１０，４０が現場において壁部７０に取り付けられる例を示したが、予め工場等において結合桁１０，４０を、壁部７０を形成する壁パネル７６本体、あるいは梁に取り付けて、結合桁付の壁パネル７６あるいは結合桁付の梁としておくこともできる。これによって、現場において壁部７０または梁と結合桁１０，４０とを固定する必要がないため、現場作業を効率化することができる。
【００６２】
【発明の効果】
本発明によれば、載置部を壁部または梁に載置し、取付部を壁部または梁に取り付けることによって、壁部または梁に固定でき、そして、傾斜部に屋根芯材を載置することができ、さらに、接合部に隣接壁部または隣接梁を接合できる結合桁を提供することができる。したがって、この結合桁の壁部または梁への固定は、特別な部材を必要とすることなく、単に取り付け部を釘等によって壁部または梁に固定することによって行うことができる。また、この結合桁は金属製であるため、木製の結合桁の場合のように、乾燥等による形状の経時変化がなく、それを用いた構造全体に形状変化による影響を及ぼすこともない。さらに、本発明の結合桁は金属製であるため、様々な付属部材を十分な強度をもって結合桁に容易に取り付けることができる。そして、本発明の結合桁は、壁部または梁と屋根芯材とを結合するだけでなく、それらと隣接壁部または隣接梁とを接合することができる。
【００６３】
【００６４】
【００６５】
【００６６】
【００６７】
【００６８】
【００６９】
【００７０】
【００７１】
また、傾斜部には滑り防止シートが貼付され、屋根芯材との間の軋みや滑りが防止される。したがって、屋根芯材の取付の際にそれらが滑り落ちたりする可能性を減少させることができるとともに、屋根芯材を含んで構成される屋根部の取付後の軋み音等を減少させることができる。
【００７２】
【００７３】
【図面の簡単な説明】
【図１】  本発明の第１実施例の結合桁を用いた接合構造を示す断面図である。
【図２】  （Ａ）および（Ｂ）は、第１実施例の結合桁の斜視図および分解斜視図である。
【図３】  第１実施例の結合桁の付属部分を説明するための斜視図である。
【図４】  結合桁が一般的な家屋で使用される箇所を示す平面図である。
【図５】  壁部上に設置された結合桁とその上部に設置される屋根部とを示す分解斜視図である。
【図６】  第１実施例の変形例を示す斜視図である。
【図７】  （Ａ）および（Ｂ）は、第１実施例の変形例を示す斜視図である。
【図８】  （Ａ）および（Ｂ）は、第１実施例の変形例を示す斜視図である。
【図９】  （Ａ）および（Ｂ）は、第２実施例の結合桁を示す斜視図である。
【図１０】  第２実施例の他の結合桁を示す斜視図である。
【図１１】  （Ａ）および（Ｂ）は、第２実施例の結合桁の変形例を示す斜視図である。
【図１２】  第２実施例の結合桁の変形例を示す斜視図である。
【符号の説明】
１０，４０  結合桁
１２  第１載置部
１４  載置面
１６  第１取付部
１８  第１傾斜部
２０  傾斜面
２２  接合部
３４  ストッパ部
３６  固定部
４６  第２載置部
４８  載置面
５２  第２取付部
５８  第２傾斜部
６０  傾斜面
７０  第１壁部
７６  壁パネル
８０  第１屋根部
８２  第１屋根芯材
９２  隣接梁
９６  隣接壁部
【図１】
0003703897.tif 000002
【図２】
0003703897.tif 000003
【図３】
0003703897.tif 000004
【図４】
0003703897.tif 000005
【図５】
0003703897.tif 000006
【図６】
0003703897.tif 000007
【図７】
0003703897.tif 000008
【図８】
0003703897.tif 000009
【図９】
0003703897.tif 000010
【図１０】
0003703897.tif 000011
【図１１】
0003703897.tif 000012
【図１２】
0003703897.tif 000013